(57)【要約】【課題】ユーザーが特に意識することなく有料ダイヤルへの発呼を制限することができる電話端末を提供すること。【解決手段】携帯電話機は常時、アンテナ１０１を通して基地局とコントロールチャネルを介して交信し自分の居場所をシステムに知らせている。呼制御部１１１はシンセサイザ、モデム、フレームプロセッサ、コーデック、メモリ１１３の制御を行い、キー操作部１１７からの信号により端末全体を制御する。着信音はアンプを介しスピーカ１０９から出力される。メモリ１１３には端末の各機能を実行するためのプログラムのほか、迷惑電話制御着信処理を実行するプログラムのための記憶エリアが設けられている。【選択図】　　　図１
2004080218.tif 000002
【特許請求の範囲】
【請求項１】
着信呼に対し、着信通知動作を実行する電話端末において、
所定の条件に一致する着信呼に対し、その着信通知動作を一定時間無効にする手段を具備したことを特徴とする電話端末。
【請求項２】
着信呼に対し、着信通知動作を実行する電話端末において、
所定の条件に一致する着信呼に対しては、その着信通知動作を一定時間無効にする手段と、前記所定の条件の一致不一致に係わらず着信拒否条件に一致する着信呼に対しては着信を拒否する手段と、を具備したことを特徴とする電話端末。
【請求項３】
請求項１又は請求項２に記載の電話端末において、
着信通知動作を一定時間無効にした着信呼に対し、前記一定時間を継続する着信呼については、その着信履歴を保存するようにしたことを特徴とする電話端末。
【請求項４】
請求項１又は請求項２に記載の電話端末において、
前記着信通知動作を行う複数の着信通知手段を具備し、前記所定の条件に一致する着信呼に対し、前記複数の着信通知手段の全部もしくは一部による着信通知動作を一定時間無効にするようにしたことを特徴とする電話端末。
【請求項５】
請求項３又は請求項４に記載の電話端末において、
前記一定時間を継続せずに喪失した着信呼について、その着信履歴を保存する設定がされている場合には着信履歴を保存するようにしたことを特徴とする電話端末。
【請求項６】
請求項５に記載の電話端末において、
前記着信通知動作を一定時間無効にした着信呼に対し、前記一定時間内に応答操作がされた場合にもその着信履歴を保存するようにしたことを特徴とする電話端末。
【請求項７】
請求項１乃至請求項６のいずれかに記載の電話端末において、
前記所定の条件とは、前記着信呼が発信者番号通知を通知していることであることを特徴とする電話端末。
【請求項８】
請求項１乃至請求項６のいずれかに記載の電話端末において、
前記所定の条件とは、前記着信呼の発信者番号がメモリダイヤルに登録されていないことであることを特徴とする電話端末。
【請求項９】
請求項１乃至請求項６のいずれかに記載の電話端末において、
前記所定の条件とは、前記着信呼が発信者番号を通知していること、かつ前記通知された発信者番号がメモリダイヤルに登録されていないことであることを特徴とする電話端末。
【請求項１０】
着信呼に対し、着信通知動作を実行する電話端末において、
一定時間継続する着信呼に対し、その着信履歴を保存する手段と、前記一定時間継続せずに喪失した着信呼に対し、その着信履歴を保存する設定がされている場合に着信履歴を保存する手段とを具備したことを特徴とする電話端末。
【請求項１１】
着信呼に対し、着信通知動作を実行する電話端末において、
一定時間継続する着信呼に対してのみ、その着信履歴を保存する手段を具備したことを特徴とする電話端末。
【発明の詳細な説明】
【０００１】
【発明の属する技術分野】
本発明は、着信履歴を使って発呼できる電話端末に関するものである。
【０００２】
【従来の技術】
最近、いわゆる「ワン切り詐欺」という犯罪が増加している。これは、着信履歴機能を利用したもので、ごく短い発呼を無差別に行い、ユーザーの着信履歴に電話番号を残しておく。ユーザーがその電話番号に対して電話をかけ直すと、有料ダイヤルにつながり、法外な料金を請求されるというものである。
新しいタイプの犯罪のため、特にこれに対応する機能はみられないが、一般的に、着信拒否電話番号を登録し、迷惑電話などを着信しないといった手段がある。
しかし、特定の番号しか拒否できないため、この手の犯罪に対しては有効性が大きく制限されると予想される。また、特開２０００−２９５３２４のように、リンギング回数の情報を着信履歴に記憶する」といった発明はなされているが、誤操作や、不注意での発信の可能性もあり、こうした詐欺を完全に防げるとはいいがたい。
【０００３】
【発明が解決しようとする課題】
本発明は、上記従来技術の課題に鑑みて、ユーザーが特に意識することなく有料ダイヤルへの発呼を制限できる電話端末を提供することを目的とする。
さらに、本発明は、呼出時間の最低値をユーザ側で任意に設定できるようにし、今後この手の犯罪が多様化した場合にも対応できる電話端末を提供することを目的とする。
【０００４】
【課題を解決するための手段】
上述の課題を解決するために、本願第１の発明である電話端末は、着信呼に対し、着信通知動作を実行し、所定の条件に一致する着信呼に対し、その着信通知動作を一定時間無効にする手段を具備したことを特徴とする。
また、本願第２の発明である電話端末は、着信呼に対し、着信通知動作を実行し、所定の条件に一致する着信呼に対しては、その着信通知動作を一定時間無効にする手段と、所定の条件の一致不一致に係わらず着信拒否条件に一致する着信呼に対しては着信を拒否する手段とを具備したことを特徴とする。
【０００５】
上記電話端末は、着信通知動作を一定時間無効にした着信呼に対し、一定時間を継続する着信呼については、その着信履歴を保存することができる。
上記電話端末は、着信通知動作を行う複数の着信通知手段を具備し、所定の条件に一致する着信呼に対し、複数の着信通知手段の全部もしくは一部による着信通知動作を一定時間無効にすることができる。
上記電話端末は、一定時間を継続せずに喪失した着信呼について、その着信履歴を保存する設定がされている場合には着信履歴を保存することができる。
上記電話端末は、着信通知動作を一定時間無効にした着信呼に対し、一定時間内に応答操作がされた場合にもその着信履歴を保存することができる。
【０００６】
上記所定の条件は、具体的には、着信呼が発信者番号通知を通知していることである。
上記所定の条件は、具体的には、着信呼の発信者番号がメモリダイヤルに登録されていないことである。
上記所定の条件は、具体的には、着信呼が発信者番号を通知していること、かつ通知された発信者番号がメモリダイヤルに登録されていないことである。
【０００７】
また、本願第３の発明である電話端末は、着信呼に対し、着信通知動作を実行し、一定時間継続する着信呼に対し、その着信履歴を保存する手段と、一定時間継続せずに喪失した着信呼に対し、その着信履歴を保存する設定がされている場合に着信履歴を保存する手段とを具備したことを特徴とする。
さらに、本願第４の発明である電話端末は、着信呼に対し、着信通知動作を実行し、一定時間継続する着信呼に対してのみ、その着信履歴を保存する手段を具備したことを特徴とする。
【０００８】
【発明の実施の形態】
次に添付図面を参照して、本発明による電話端末を携帯電話機に適用したときの実施の形態について詳細に説明する。図１は本発明の実施の形態である携帯電話機の機能ブロック図、図２は本発明の第１の実施の形態である携帯電話機の着呼時の処理フローチャート、図３は本発明の第２の実施の形態である携帯電話機の着呼時の処理フローチャート、図４は本発明の第３の実施の形態である携帯電話機の着呼時の処理フローチャートである。
また、図５は本発明の実施の形態である迷惑電話制御着信処理のフローチャート、図６は本発明の実施の形態である通常着信処理のフローチャートである。
【０００９】
図１に図示するように、本発明の実施の形態である携帯電話機はアンテナ１０１、無線部１０３、通話路制御部１０５、マイク１０７、スピーカ１０９、バイブレータ１１０、呼制御部１１１、メモリ１１３、ＬＣＤ１１５、及びキー１１７を具備する。
アンテナ１０１は基地局と交信するアンテナである。無線部１０３はアンテナ１０１の送／受切替用スイッチを有し、アンテナ１０１で受信された受信信号は、スイッチやフィルタ（いずれも図示せず）を通り通話路制御部１０５で増幅され、周波数変換される。増幅された受信信号は復調され、復調された受信信号はフレーム単位に処理され、コーデック（図示せず）でデコードされてスピーカ１０９から音声として出力される。マイク１０７から出力された音声信号はコーデックでコード化されフレーム単位に処理され、変調される。変調された送信信号は通話路制御部１０５で増幅され、出力周波数に変換後、増幅されて無線部１０３及びアンテナ１０１を介して出力される。
【００１０】
携帯電話機は常時、アンテナ１０１を通して基地局とコントロールチャネルを介して交信し自分の居場所（サービスエリア）をシステムに知らせている。呼制御部１１１はシンセサイザ、モデム、フレームプロセッサ、コーデック（いずれも図示せず）、メモリ１１３の制御を行い、キー操作部１１７からの信号により端末全体を制御する。音による着信通知である着信音はアンプを介しスピーカ１０９から出力される。また、振動による着信通知はバイブレータ１１０によって行われる。メモリ１１３には端末の各機能を実行するためのプログラムのほか、本発明の特徴である迷惑電話制御着信処理を実行するプログラムのための記憶エリアが設けられている。
【００１１】
＜第１の実施の形態＞
本発明の第１の実施の形態である携帯電話機は、発信者番号を通知している着信呼に対して迷惑電話制御着信処理（図５）を実行する。
図２は本発明の第１の実施の形態である携帯電話機の着呼時の処理フローチャートである。同図に示すように、待受け中（通話中）に着信があると（Ｓ２０１）、迷惑電話制御設定がＯＮに設定されているか否か確認する（Ｓ２０３）。迷惑電話制御は、ＬＣＤ１１５に表示された設定画面に従ってユーザがキー１１７を操作することにより、ＯＮ／ＯＦＦ設定することができる。
【００１２】
Ｓ２０３の結果、迷惑電話制御設定がＯＦＦに設定されていれば通常着信処理（図６）を実行する（Ｓ２０９）。Ｓ２０３の結果、迷惑電話制御設定がＯＮに設定されていれば、当該着信呼が発信者番号を通知しているか否か確認する（Ｓ２０５）。
Ｓ２０５の結果、発信者番号を通知していない場合には通常着信処理（図６）を実行する（Ｓ２０９）。一方、発信者番号を通知している場合には迷惑電話制御着信処理（図５）を実行する（Ｓ２０７）。なお、発信者番号を通知している場合はＳ２０７のサブルーチンにおいてＬＣＤ１１５に発信者番号を表示する。
【００１３】
＜第２の実施の形態＞
本発明の第２の実施の形態である携帯電話機は、発信者番号がメモリダイヤルに登録されていない着信呼に対して迷惑電話制御着信処理（図５）を実行する。
図３は本発明の第２の実施の形態である携帯電話機の着呼時の処理フローチャートである。同図に示すように、待受け中（通話中）に着信があると（Ｓ３０１）、迷惑電話制御設定がＯＮに設定されているか否か確認する（Ｓ３０３）。迷惑電話制御は、ＬＣＤ１１５に表示された設定画面に従ってユーザがキー１１７を操作することにより、ＯＮ／ＯＦＦ設定することができる。
【００１４】
Ｓ３０３の結果、迷惑電話制御設定がＯＦＦに設定されていれば通常着信処理（図６）を実行する（Ｓ３０９）。Ｓ３０３の結果、迷惑電話制御設定がＯＮに設定されていれば、当該着信呼の発信者番号がメモリダイヤルに登録されているか否か確認する（Ｓ３０５）。
Ｓ３０５の結果、メモリダイヤルとして登録されている場合には通常着信処理（図６）を実行する（Ｓ３０９）。一方、メモリダイヤルとして登録されていない場合には迷惑電話制御着信処理（図５）を実行する（Ｓ３０７）。
なお、メモリダイヤルとして登録されている場合は、登録情報をＬＣＤ１１５にＳ３０９のサブルーチンで表示し、一方、メモリダイヤルとして登録されていない場合には発信者番号の表示をＬＣＤ１１５にＳ３０７のサブルーチンで表示する。
【００１５】
＜第３の実施の形態＞
本発明の第３の実施の形態である携帯電話機は、発信者番号を通知しており、且つその発信者番号がメモリダイヤルとして登録されていない着信呼に対して迷惑電話制御着信処理（図５）を実行する。
図４は本発明の第３の実施の形態である携帯電話機の着呼時の処理フローチャートである。同図に示すように、待受け中（通話中）に着信があると（Ｓ４０１）、着信呼が着信拒否条件（例えば、公衆電話からの発信であったり、発信者番号非通知であったりすること）と一致するか否か確認する（Ｓ４０３）。
【００１６】
Ｓ４０３の結果、着信拒否条件と一致する場合には着信拒否制御処理を実行する（Ｓ４０５）。この着信拒否制御処理は、例えば、着呼者端末（この場合、図１の携帯電話機）が無線回線を強制的に切断したり、あるいは発呼者に対し着呼者端末又は交換機から「お客様の都合により、お繋ぎすることができません。」等の着信拒否メッセージを送信して回線を切断するものである。
【００１７】
一方、Ｓ４０３の結果、着信拒否条件と一致しない場合には迷惑電話制御設定がＯＮに設定されているか否か確認する（Ｓ４０７）。迷惑電話制御は、ＬＣＤ１１５に表示された設定画面に従ってユーザがキー１１７を操作することにより、ＯＮ／ＯＦＦ設定することができる。
Ｓ４０７の結果、迷惑電話制御設定がＯＦＦに設定されていれば通常着信処理（図６）を実行する（Ｓ４１５）。Ｓ４０７の結果、迷惑電話制御設定がＯＮに設定されていれば、当該着信呼が発信者番号を通知しているか否か確認する（Ｓ４０９）。
【００１８】
Ｓ４０９の結果、発信者番号を通知していない場合には通常着信処理（図６）を実行する（Ｓ４１５）。一方、発信者番号を通知している場合には、その発信者番号がメモリダイヤルに登録されているか否か確認する（Ｓ４１１）。
Ｓ４１１の結果、メモリダイヤルとして登録されている場合には通常着信処理（図６）を実行する（Ｓ４１５）。一方、メモリダイヤルとして登録されていない場合には迷惑電話制御着信処理（図５）を実行する（Ｓ４１３）。
なお、Ｓ４１５のサブルーチンでは、発信者番号通知の有無、メモリダイヤルへの登録の有無に応じて、“着信有り”の表示、もしくは発信者番号表示、あるいはメモリダイヤルへの登録情報の表示をＬＣＤ１１５に行う。一方、Ｓ４１３のサブルーチンでは、発信者番号表示をＬＣＤ１１５に行う。
【００１９】
＜迷惑電話制御着信処理＞
図５は本発明の実施の形態である「迷惑電話制御着信処理」の処理フローチャートである。同図に示すように、まず最初にタイマを起動する（Ｓ５０１）。このタイマは着信通知動作を一定時間停止するためのものであり、タイマ値はＬＣＤ１１５に表示された設定画面に従ってユーザがキー１１７を操作することにより任意に設定変更（例えば、１秒〜１０秒）することができる。
【００２０】
ＬＣＤ１１５には発信者番号が表示されており、Ｓ５０３でタイマ起動中にユーザがこの表示を見て着信呼に応答すると、着信音の鳴動をＯＦＦにした状態、又はバイブレータ１１０の振動をＯＦＦにした状態で（Ｓ５１３）、発信者番号を着信履歴としてメモリに記憶する（Ｓ５１９）。続き、通話状態となる。
続いて、Ｓ５０５でタイマ起動中に発呼者側が切断（オンフック）すると、着信音の鳴動をＯＦＦにした状態、又はバイブレータの振動をＯＦＦにした状態で（Ｓ５１１）、着信履歴の保存がＯＮに設定されているか否か確認する（Ｓ５１５）。着信履歴の保存は、ＬＣＤ１１５に表示された設定画面に従ってユーザがキー１１７を操作することにより、ＯＮ／ＯＦＦ設定することができる。
Ｓ５１５の結果、ＯＮに設定されていた場合には、発信者番号を不在着信履歴としてメモリに記憶する（Ｓ５１７）。
【００２１】
一方、Ｓ５１５の結果、ＯＦＦに設定されていた場合には発信者番号を不在着信履歴としてメモリに記憶せず、そのまま待受状態となる。
応答（Ｓ５０３）も切断（Ｓ５０５）もないままタイマアウトになると（Ｓ５０７）、通常着信処理（図６）を実行する（Ｓ５０９）。
なお、上記Ｓ２０７（図２）、Ｓ３０７（図３）、Ｓ４１３（図４）の各サブルーチンではＬＣＤ１１５に発信者番号を表示するようにし、タイマ起動時間内においても表示を見てユーザが応答できるようにしたが、このような表示による着信通知動作も含め全ての着信通知動作を上記のように一定時間無効にしてもよい。
【００２２】
また、上記実施の形態では、一定時間継続した着信呼については通常着信処理を行って発信者番号を着信履歴に保存し、一定時間内に切断され場合にはユーザーの設定に従い着信履歴に保存もしくは保存せず、さらには一定時間内に応答した場合には着信履歴に保存するようにし、ユーザーの意思を優先するものとしてある。しかし、この実施例にかかわらず、一定時間継続した着信呼のみ通常着信処理を行って発信者番号を着信履歴に保存するようにして、従来技術に記載したこの種の詐欺を完全に防止するようにしてもよい。
【００２３】
＜通常着信処理＞
図６は本発明の実施の形態である「通常着信処理」の処理フローチャートである。同図に示すように、まず最初に着信音の鳴動又はバイブレータの振動をＯＮにする（Ｓ６０１）。なお、ＬＣＤ１１５には発信者番号等の表示がされている。
Ｓ６０３で発呼者が切断すると、着信音の鳴動又はバイブレータの振動をＯＦＦにし（Ｓ６１１）、発信者番号を不在着信履歴としてメモリに記憶する（Ｓ６１３）。続き、待受状態となる。
一方、Ｓ６０５でユーザが着信呼に応答すると、着信音の鳴動又はバイブレータの振動をＯＦＦにし（Ｓ６０７）、発信者番号を着信履歴としてメモリに記憶する（Ｓ６０９）。続き、通話状態となる。
【００２４】
【発明の効果】
本発明の電話端末によれば、ユーザーが特に意識することなく有料ダイヤルへの発呼を制限することができる。
また、本発明の電話端末によれば、呼出時間の最低値をユーザ側で任意に設定できるようにし、今後この手の犯罪が多様化した場合にも対応できる。
【図面の簡単な説明】
【図１】本発明の実施の形態である携帯電話機の機能ブロック図。
【図２】本発明の第１の実施の形態である携帯電話機の着呼時のフローチャート。
【図３】本発明の第２の実施の形態である携帯電話機の着呼時のフローチャート。
【図４】本発明の第３の実施の形態である携帯電話機の着呼時のフローチャート。
【図５】本発明の実施の形態である迷惑電話制御着信処理のフローチャート。
【図６】本発明の実施の形態である通常着信処理のフローチャート。
【符号の説明】
１１１　　呼制御部
１１３　　メモリ
１１５　　ＬＣＤ
【図１】
2004080218.tif 000003
【図２】
2004080218.tif 000004
【図３】
2004080218.tif 000005
【図４】
2004080218.tif 000006
【図５】
2004080218.tif 000007
【図６】
2004080218.tif 000008